(57)【要約】【課題】収納式引戸の剛性を弱めることなく、より一層の薄形化を実現し、且つ引戸上方に必要なガイドレール機構の設置スペースを小さくする収納式連動引吊戸装置を提供する。【解決手段】引戸１０に備える外扉Ａと内扉Ｂの上框部１２・２１および下框部１３・２２に、それぞれスライドレールＲ１・Ｒ２を取り付け、スライドレールＲ１・Ｒ２で外扉Ａおよび内扉Ｂを相互に摺動可能に連結して一体化する。そして、引戸１０の開閉時、外扉Ａと内扉ＢとがスライドレールＲ１・Ｒ２を介して相互に連結状態で一体に摺動し、スライドレールＲ１・Ｒ２よって横振れの発生を規制しながら直線的にスライドさせる。【選択図】        図１
2004162419.tif 000002
【特許請求の範囲】
【請求項１】
共に薄箱状をなす一方の外扉と、該外扉内に収納する他方の内扉とからなる引戸を摺動可能に吊持し、開閉時、前記外扉をスライドさせると、遅れて連動する前記内扉を摺動させて開口部を開閉する収納式連動引吊戸装置であって、
前記内扉と前記外扉の上框部および下框部に、対向するレール体の係合部を係合させて互いにスライド自在に連結してなるスライドレールを取り付け、該スライドレールで前記内扉および前記外扉を相互に摺動可能に連結して一体化してなる、収納式連動引吊戸装置。
【請求項２】
前記スライドレールは、両側縁に内向きに湾曲した係合部を有するアウターレールと、両側縁に外向きに湾曲した係合部を有するインナーレールとを、前記係合部において、ボールリテナーで保持した多数のボールを介して係合してスライド自在に連結したスライドレール単体を使用してなる、請求項１に記載の収納式連動引吊戸装置。
【発明の詳細な説明】
【０００１】
【発明の属する技術分野】本発明は、外扉と外扉内に収納する内扉からなる収納式引戸を摺動可能に吊持し、開閉時、引戸の一方の扉をスライドさせると、遅れて連動する他方の扉を摺動させて開口部を開閉する収納式の連動引吊戸装置に関する。
【０００２】
【従来の技術】従来、この種の収納式連動引吊戸装置では、たとえば図９〜図１１に示すように、引戸１を後扉（外扉）２と前扉（内扉）３の２体で構成する一方、引戸１全体の薄形化を目的として、後扉２内に前扉３を出し入れ自在に収納する構造にしている。他方、引戸１の上方にガイドレール４を横設し、そのガイドレール４に前後一対の吊車５ａ・５ｂを係合して後扉２をスライド可能に吊持している。前扉３は、前吊車６ａをガイドレール４に係合する一方、後吊車６ｂを、後扉２内で上部に横設したガイドレール７に係合してスライド可能に吊持している。
【０００３】
そして、引戸１は、基端を戸袋８の奥壁下部に回動可能に取り付けた連動杆９で前後の扉２・３を連結し、開閉時、取っ手１ａを持って前扉３をスライドさせると、続いて後扉２が連動して摺動することにより開口部を開閉する構造にしている。
【０００４】
【発明が解決しようとする課題】ところで、従来の収納式連動引吊戸装置では、前後の扉２・３をスライドするとき、とりわけ扉の下部側が横振れを起しやすく、そのために後扉２の内壁面と前扉３の外壁面がぶつかり、その度に衝突音がしたり、擦れて前扉３の外壁面の塗装が剥がれたりするおそれがある。そこで、従来の収納式連動引吊戸装置では、収納状態において後扉２と前扉３間に、ぶつからない程度の大きな間隔があくように、収納する側の後扉２を比較的厚くした構造にしている。しかし、これでは、後扉２と前扉３間の隙間を大きくする分だけ、却って引戸１全体が厚くなって大型化し、薄形化を実現する収納式引戸本来の利点が失われるという課題があった。
【０００５】
また、従来の収納式連動引吊戸装置では、収納される側の前扉３が、収納式引戸の構造上、比較的薄形に形成されるため、正面又は背面側の板面が押されると凹みやすく、前扉３が強度的に脆弱になるという課題があった。
【０００６】
さらに、従来の収納式連動引吊戸装置では、引戸１の後扉２と前扉３を上部側で各々案内するガイドレール４・７や吊車５ａ…などからなるガイドレール機構を、引戸１の上方に上下２段にわたって組み付ける構造であるため、それだけ余分に引戸１の上方にガイドレール機構を設置するための広いスペースが必要になるという課題もあった。
【０００７】
そこで、本発明の目的は、収納式引戸の剛性を弱めることなく、より一層の薄形化を実現し、且つ引戸上方に必要なガイドレール機構の設置スペースを小さくする収納式連動引吊戸装置を提供することにある。
【０００８】
【課題を解決するための手段】したがって、請求項１に記載の発明は、上述した目的を達成すべく、たとえば以下に示す図示実施の形態のとおり、共に薄箱状をなす一方の外扉Ａと、該外扉Ａ内に収納する他方の内扉Ｂとからなる引戸１０を摺動可能に吊持し、開閉時、前記外扉Ａをスライドさせると、遅れて連動する前記内扉Ｂを摺動させて開口部Ｓを開閉する収納式連動引吊戸装置であって、前記内扉Ｂと前記外扉Ａの上框部２１・１２および下框部２２・１３に、対向するレール体の係合部を係合させて互いにスライド自在に連結してなるスライドレールＲ２・Ｒ１を取り付け、該スライドレールＲ１・Ｒ２で前記内扉Ｂおよび前記外扉Ａを相互に摺動可能に連結して一体化してなることを特徴とする。
【０００９】
請求項２に記載の発明は、請求項１に記載の収納式連動引吊戸装置において、たとえば以下に示す図示実施の形態のとおり、前記スライドレールＲ１・Ｒ２は、両側縁に内向きに湾曲した係合部３０ａを有するアウターレール３０と、両側縁に外向きに湾曲した係合部３１ａを有するインナーレール３１とを、前記係合部３０ａ・３１ａにおいて、ボールリテナー３２で保持した多数のボール３３を介して係合してスライド自在に連結したスライドレール単体ｒを使用してなることを特徴とする。
【００１０】
【発明の実施の形態】以下、図面を参照しつつ、本発明の実施の形態について説明する。
【００１１】
図１は、本発明の一例である収納式連動引吊戸装置を引戸の開状態において示す縦断面図、図２は斜視図、図３は正面図である。図示例の連動式吊戸装置で開閉する引戸１０は、一方の外扉Ａと、外扉Ａ内に収納する他方の内扉Ｂの２体からなる。
【００１２】
外扉Ａは、取っ手ｇを取り付けた正面と背面側の板面部１１・１１と、横細長な上下の框部１２・１３と、縦細長な前側面部１４とを有する一方、後側面部を開放して扉出入部を形成した全体に薄箱状に組み立ててなる。特に下框部１３は、両板面部１１・１１の下縁に取り付けた金属製のガイドフレームにより形成する。ガイドフレーム１３は、全体に略チャネル状に曲げ成形し、断面コ形状のレール固定部１３ａと、レール固定部１３ａの両側縁から断面Ｌ形に外向きに曲げ延びる取付縁１３ｂと、長さ方向両端部を対向する向きに屈曲させたストッパ折曲片１３ｃ・１３ｄとを設けてなる。
【００１３】
そして、ガイドフレーム１３は、レール固定部１３ａを両板面部１１・１１間に入り込ませて、取付縁１３ｂを両板面部１１・１１の下縁１１ａに固着して外扉Ａの下框部を形成すると共に、後述のガイドローラ４５を嵌め込むガイド長溝１９を下向きに形成してなる。斯かる外扉Ａには、上框部１２の戸先側に、吊車体１５を搭載している。吊車体１５には、上框部１２上に立ててボルト止めしたアングルプレート１６に、戸車１７を縦向きに組み付けている。
【００１４】
一方、内扉Ｂは、正面側と背面側の板面部２０・２０と、横長な上下の框部２１・２２と、縦長な前後の側面部２３・２４とで、外扉Ａに対し扉出入部から出し入れ可能な厚さの薄箱状に組み立ててなる。上下の框部２１・２２は、それぞれ金属製の取付フレームにより形成する。取付フレーム２１・２２は、共に断面コ形に曲げ成形し、レール固定板部２１ａ・２２ａと、レール固定板部の両側縁から断面Ｌ形に曲げ延びる取付片部２１ｂ・２２ｂを有してなる。そして、両板面部２０・２０間の一段奥側で、互いの取付片部２１ｂ・２２ｂが対向する向きで両板面部２０に固着して上下の框部２１・２２を形成してなる。斯かる内扉Ｂには、上框部２１の戸尻側に吊車体２５を搭載している。吊車体２５には、取付ブラケット２６を介して上框部２１の戸尻側にボルト止めしたアングルプレート２７に、戸車２８を縦向きに組み付けている。
【００１５】
さて、本発明では、特に、上述した外扉Ａと内扉Ｂの上框部１２・２１および下框部１３・２２にそれぞれ、スライドレールＲ１・Ｒ２を取り付け、それらスライドレールＲ１・Ｒ２で両扉Ａ・Ｂを相互に摺動可能に連結して一体化してなる。
【００１６】
スライドレールＲ１・Ｒ２は、図４に示すような長尺な金属製スライドレール単体ｒを２本使用し、それぞれダブルスライドレール構造になっている。スライドレール単体ｒは、両側縁に内向きに湾曲した長手な係合部３０ａを有するアウターレール３０と、両側縁に外向きに湾曲した同じく長手な係合部３１ａを有するインナーレール３１とを、互いの係合部３０ａ・３１ａにおいて、ボールリテナー３２で転動可能に保持した多数の金属製ボール３３を介して係合し、両レール３０・３１を互いにスライド自在に連結した構造になっている。なお、アウターレール３０には、長さ方向両端に、スライド範囲を規制するストッパ折曲片３０ｂを有する。一方、インナーレール３１には、長さ方向片側に、同じくストッパ折曲片を有してなる。
【００１７】
そこで、スライドレールＲ１・Ｒ２は、それぞれ図１に示すように、互いのインナーレール３１・３１′を背中合せに重ねて、溶接により２本のスライドレール単体ｒを一体化して組み立ててなる。そして、上框部１２・２１に取り付けるスライドレールＲ１は、外扉Ａの上框部１２の内面に、上側のスライドレール単体ｒのアウターレール３０をねじで固着する。下側のスライドレール単体ｒのアウターレール３０′は、内扉Ｂの上框部２１の外面にねじで固着する。
【００１８】
下框部１３・２２に取り付けるスライドレールＲ２は、内扉Ｂの下框部２２の外面に、上側のスライドレール単体ｒのアウターレール３０をねじで固着する。下側のスライドレール単体のアウターレール３０′は、外扉Ａの下框部１３の外面にねじで固着する。したがって、スライドレールＲ１・Ｒ２は、図５に示すように、下側で固定のアウターレール３０′に対し一体のインナーレール３１・３１′をスライド自在とし、さらにインナーレール３１・３１′と上側のアウターレール３０とを互いにスライド自在とする２段スライド構成にし、それだけスライドストロークを長くしたダブルスライドレール構造になっている。
【００１９】
加えて、本発明において、スライドレールＲ１・Ｒ２は、図１〜図３に示すように、外扉Ａと内扉Ｂの上框部１２・２１および下框部１３・２２にそれぞれ取り付けて、それら上下框部を補強する支持フレームとしても機能し、それだけ外扉Ａおよび内扉Ｂの剛性が高められる構造になっている。
【００２０】
上述の如くスライドレールＲ１・Ｒ２で一体的に連結した外扉Ａおよび内扉Ｂは、各々の戸車１７・２８を、戸枠Ｅの上部に固定した走行用ガイドレール３５に転動可能に係合してガイドレール３５でスライド自在に吊持する。そして、外扉Ａおよび内扉Ｂは、開口部Ｓの開時、壁Ｗに沿って形成した引戸収容位置Ｄにおいて、外扉Ａの中に内扉Ｂを収納した状態で、引戸１０としてガイドレール３５に懸架している。
【００２１】
なお、引戸１０において、一方の内扉Ｂに搭載した吊車体２５には、図６に示すとおり、戸車２８にそれと同軸に大歯車部２８ａを設ける一方、同じアングルプレート２７に、戸車２８の回転を制動する制動手段４０を組み付けている。制動手段４０は、支持板４１で支持し、該支持板を介してアングルプレート２７に取り付けている。制動手段４０は、円筒ケース４０ａ内に、図示省略するが、円筒ケース４０ａの内周面と僅かに間隙をあけてロータを回転自在に収納し、この間隙にシリコンオイルを充填して密封し、ロータが回転するとシリコンオイルの粘性抵抗により制動トルクが発生する構造になっている。
【００２２】
そこで、制動手段４０は、上記ロータに有するロータ軸４０ｂの先端を、円筒ケース４０ａから戸車２８側に突出させて小歯車４０ｃに嵌挿し、小歯車４０ｃを、戸車２８の大歯車部２８ａに噛み合せている。そして、内扉Ｂが開閉方向にスライドし、戸車２８の回転力が前記ロータに伝達されると制動トルクを発生し、内扉Ｂの摺動を減速させる構造になっている。
【００２３】
一方、図示例の連動引吊戸装置には、下部側に、図１〜図３に示すように、開閉操作時に引戸１０の下部側が横振れしないように案内するガイド機構Ｇを備える。ガイド機構Ｇは、たとえば上記スライドレール単体ｒを１本使用して構成する。スライドレール単体ｒは、アウターレール３０に対しインナーレール３１を下側にして引戸開閉方向に配置し、床面Ｆの引戸収容位置Ｄにねじで固着する。上側のアウターレール３１上には、その前端部、即ち戸先側に短軸４４を立設し、短軸４４上に、ガイドローラ４５を横向きにして回転自在に取り付けている。ガイドローラ４５は、外扉Ａの下框部１３に有するガイド長溝１９に転動自在に嵌め込ませてなる。
【００２４】
さて、上述した構成の収納式連動引吊戸装置を作動し、引戸収容位置Ｄに収容状態の引戸１０をスライドさせて開口部Ｓを閉止する場合は、まず外扉Ａを、取っ手ｇを持って引き出す。すると、外扉Ａは、上部側において、戸車１７が走行用ガイドレール３５上を転動し、そのガイドレール３５の案内で直線的にスライドすると同時に、下部側において、ガイド長溝１９内のガイドローラ４５で横振れを規制しながら、ガイド機構Ｇで案内して直線的にスライドする。
【００２５】
このとき、外扉Ａは、特に内扉Ｂとの関係では、上下のスライドレールＲ１・Ｒ２を介して内扉Ｂと相互に連結状態で一体に摺動し、スライドレールＲ１・Ｒ２によっても横振れを起すことなく、直線的に案内されて引き出される。即ち、上框部１２において、スライドレールＲ１の一体インナーレール３３・３３′に対し上側のアウターレール３０が摺動し、次いで内扉Ｂに固定した下側のアウターレール３０′に対し一体のインナーレール３１・３１′が順次前方へ摺動して伸長する。下框部１３においては、スライドレールＲ２の一体インナーレール３３・３３′に対し下側のアウターレール３０′が摺動し、次いで内扉Ｂに固定した上側のアウターレール３０に対し一体インナーレール３１・３１′が順次前方へ摺動して伸長する。
【００２６】
このように外扉Ａが引き出される一方、内扉Ｂは、上下の框部２１・２２において、スライドレールＲ１・Ｒ２が最大に伸長し、ボールリテナー３２の前端がアウターレール３０とインナーレール３１のストッパ折曲片に順次突き当たると、外扉Ａのスライドに対し連動し、少し遅れたタイミングで引き出される。このとき、内扉Ｂは、上部側において、戸車２８が走行用ガイドレール３５上を転動し、そのガイドレール３５の案内で直線的にスライドする。それと同時に、特に外扉Ｂとの関係では、上下のスライドレールＲ１・Ｒ２を介して外扉Ａと一体な連結状態で摺動し、スライドレールＲ１・Ｒ２によっても、横振れを起すことなく直線的に案内されて引き出される。
【００２７】
こうして後方の内扉Ｂが閉止方向に引き出されるときは、戸車２８の回転が歯車２８ａ・４０ｃの噛み合いを介して伝達されて、制動手段４０が作動する。そして、制動手段４０のロータが回転すると、それに応じシリコンオイルの粘性抵抗により制動トルクが発生して戸車２８の回転を減速し、内扉Ｂを外扉Ａより遅い速度でスライドさせる。
【００２８】
一方、前方の外扉Ａは、スライド途中において、ガイドローラ４５が下框部１３の後端側に有する上記ストッパ折曲片１３ｄに突き当たると、ガイド機構Ｇのアウターレール３０がスライドして引き出され、床面Ｆ上に固定のインナーレール３１に対して閉止方向へ伸長すると同時に、アウターレール３０が伸長するに従い、戸先側のガイドローラ４５が閉止方向前方へ移動する。そして、ガイドローラ４５は、アウターレール３０のストッパ折曲片３０ｂがボールリテナー３２の端部に突き当たるまで前方へと移動する。したがって、外扉Ａは、引続きスライドするとき、下部側において、閉止方向前方へ移動したガイドローラ４５により横振れを規制しながら案内されて、直線的に引き出されていく。こうして外扉Ａと内扉Ｂとが順次連動し、図７および図８に示すように直線的に引き出され、開口部Ｓを閉止する。
【００２９】
さて反対に、開口部Ｓの開時は、外扉Ａを、取っ手ｇを持って引き戻すと、上述した閉時と同様に、外扉Ａは、上部側において、戸車１７が走行用ガイドレール３５上で転動し、そのガイドレール３５の案内で直線的にスライドすると同時に、下部側において、ガイド溝１９内のガイドローラ４５で横振れを規制しながら、ガイド機構Ｇで案内して直線的にスライドする。
【００３０】
このときも、外扉Ａは、特に内扉Ｂとの関係では、上下のスライドレールＲ１・Ｒ２を介して内扉Ｂと相互に連結状態で一体に摺動し、スライドレールＲ１・Ｒ２によっても横振れを起すことなく、直線的に案内されて引き戻される。即ち、上框部１２において、スライドレールＲ１の一体インナーレール３３・３３′に対し上側のアウターレール３０が摺動し、次いで内扉Ｂに固定した下側のアウターレール３０′に対し一体のインナーレール３１・３１′が摺動する。下框部１３においては、スライドレールＲ２の一体インナーレール３３・３３′に対し下側のアウターレール３０′が摺動し、次いで内扉Ｂに固定した上側のアウターレール３０に対し一体インナーレール３１・３１′が摺動する。
【００３１】
こうして外扉Ａが引き戻される一方、内扉Ｂは、上下の框部２１・２２において、スライドレールＲ１・Ｒ２の上下アウターレール３０・３０′と一体インナーレール３１・３１′とが完全に重なり相互のストッパ折曲片が突き当り状態なると、外扉Ａのスライドに対し連動し、少し遅れたタイミングで摺動し始める。そして、上述した閉時の場合と同様に、上記制動手段４０で減速されて外扉Ａより遅い速度でスライドしながら引き戻される。このとき、内扉Ｂは、上部側において、戸車２８が走行用ガイドレール３５上を転動し、そのガイドレール３５の案内で直線的にスライドする、それと同時に、特に外扉Ａとの関係では、上下のスライドレールＲ１・Ｒ２を介して外扉Ａと一体な連結状態で摺動し、スライドレールＲ１・Ｒ２によっても横振れを起すことなく、直線的に案内されて引き戻される。
【００３２】
一方、引き戻される外扉Ａは、そのスライド途中において、ガイドローラ４５が、下框部１３の前端側に有する上記ストッパ折曲片１３ｃに突き当たると、ガイド機構Ｇのアウターレール３０が床面Ｆ上に固定のインナーレール３１と重なる方向へスライドして引き戻される。したがって、外扉Ａは、その後、引続きスライドするときも、下部側において、ガイド長溝１９内のガイドローラ４５で横振れを規制されながら案内され、直線的に引き戻される。こうして外扉Ａと内扉Ｂとが順次連動し、図２および図３に示すように引戸収容位置Ｄへと引き戻され、開口部Ｓを開放する。
【００３３】
ところで、上述した図示実施の形態には、外扉Ａと内扉Ｂを連結するスライドレールＲ１・Ｒ２は、図４に示すスライドレール単体ｒを２本使用して構成したが、スライドレール単体ｒを１本用い、同様に外扉Ａと内扉Ｂをスライド自在に連結して一体化する構成にすることもできる。また、以上の実施の形態では、スライドレールＲ１・Ｒ２として、アウターレール３０とインナーレール３１とを、ボールリテナー３２で保持した多数のボール３３を介し係合して連結した構造のものを使用したが、本発明では、対向する長尺なレール体の係合部を互いに係合させてスライド自在に連結した構成のスライドレールであれば、上記した図示例以外のものを除外するものではない。
【００３４】
【発明の効果】上述の如く構成した本発明によれば、次のような効果が得られる。
【００３５】
請求項１に記載の発明によれば、内扉と外扉の上框部および下框部に、対向するレール体の係合部を係合させて互いにスライド自在に連結してなるスライドレールを取り付け、該スライドレールで内扉および外扉を相互に摺動可能に連結して一体化した構成であるため、引戸の開閉時に、外扉と内扉とがスライドレールを介して相互に連結状態で一体に摺動し、該スライドレールよって横振れの発生を規制しながら直線的にスライドさせることができる。その結果、従来の如く内外扉同士がぶつかって衝突音がしたり、塗装が剥がれたりする不具合の発生を憂慮し、内外扉間に必要以上の間隙をあけて引戸を厚い大型な構造にする必要性がなくなり、これによって、収納式連動引吊戸のより一層の薄形化を実現させることができる。
【００３６】
また、収納式の連動引吊戸にあっても、外扉と内扉の上框部および下框部にそれぞれスライドレールを取り付けて、これらスライドレールが上下の框部を補強する支持フレームとして機能し、それだけ内外扉の剛性が高められる構造にするため、従来の如く板面を押されるようなことがあっても簡単には凹むことがなく、引戸の強度を著しく向上させることができる。
【００３７】
さらに、スライドレールで内扉および外扉を相互に摺動可能に連結して一体化した構成にする結果、引戸上方で内外扉を案内するガイドレール機構を、従来の如く上下２段にわたって設置する必要がなく、即ち、一段余計に必要としない分だけ、引戸上方にガイドレール機構を設置するスペースを小さくし有効利用することができる。
【００３８】
請求項２に記載の発明によれば、アウターレールとインナーレールとを、互いの係合部において、ボールリテナーで保持した多数のボールを介し係合してスライド自在に連結した構造のスライドレールを用いて、上記ガイド機構を構成することにより、それだけ連動引吊戸を、より一層スムーズにスライドさせて開閉方向に案内することができる。
【図面の簡単な説明】
【図１】本発明の一例である収納式連動引吊戸装置を引戸開状態において示す縦断面図である。
【図２】その斜視図である。
【図３】その正面図である。
【図４】スライドレール単体の構造を示す斜視図である。
【図５】スライドレールのダブルスライドレール構造を示す斜視図である。
【図６】内扉に搭載した制動手段を備える吊車体の斜視図である。
【図７】収納式連動引吊戸装置を引戸閉状態において示す斜視図である。
【図８】その正面図である。
【図９】従来の収納式連動引吊戸装置を示す正面図である。
【図１０】図９中線Ｘ−Ｘに沿って得た縦断面図である。
【図１１】図９中線Ｙ−Ｙに沿って得た横断面図である。
【符号の説明】
Ａ              外扉
Ｂ              内扉
Ｄ              引戸収容位置
Ｅ              戸枠
Ｆ              床面
Ｇ              ガイド機構
Ｒ１・Ｒ２      スライドレール
Ｓ              開口部
Ｗ              壁
ｒ              スライドレール単体
１０            引戸
１２・２１      上框部
１３・２２      下框部
３０・３０′    アウターレール
３０ａ          アウターレールの係合部
３１            インナーレール
３１ａ          インナーレールの係合部
３２            ボールリテナー
３３            ボール
【図１】
2004162419.tif 000003
【図２】
2004162419.tif 000004
【図３】
2004162419.tif 000005
【図４】
2004162419.tif 000006
【図５】
2004162419.tif 000007
【図６】
2004162419.tif 000008
【図７】
2004162419.tif 000009
【図８】
2004162419.tif 000010
【図９】
2004162419.tif 000011
【図１０】
2004162419.tif 000012
【図１１】
2004162419.tif 000013